(57)【要約】  足首接触部（１２）および足収容部（１４）を備える、好ましくは靴下（１０）状の衣類。靴下（１０）は、着用者の足（図示せず）の皮膚に接触するよう配設された内表面（１８）を有する皮膚接触材料（１６）と、保湿クリームまたはローションの形であってもよい、皮膚に潤いを与えるための加湿材料（２０）とを備える。
2006516690.tif 000002
【特許請求の範囲】
【請求項１】
使用時に着用者の皮膚に接触するよう配設された内表面を有する皮膚接触手段と、前記皮膚接触手段上に皮膚に潤いを与えるための加湿手段とを備えた衣類。
【請求項２】
前記衣類が、前記加湿手段の衣類の外部表面への浸透を防止する手段を含む、請求項１に記載の衣類。
【請求項３】
前記防止手段が、前記皮膚接触手段の外表面上に設けられた外部素材を備えた、請求項２に記載の衣類。
【請求項４】
前記外部素材が、前記加湿手段の透過を妨げる素材で形成された、請求項３に記載の衣類。
【請求項５】
前記皮膚接触手段が、前記加湿手段の透過を妨げる素材で形成された、請求項１から４のいずれかに記載の衣類。
【請求項６】
前記加湿手段が、前記皮膚接触手段の内表面上に設けられた、請求項１から５のいずれかに記載の衣類。
【請求項７】
前記加湿手段が、前記皮膚接触手段の内表面中に含浸された、請求項１から６のいずれかに記載の衣類。
【請求項８】
前記加湿手段が、前記皮膚接触手段の内表面上に層として設けられた、請求項１から６のいずれかに記載の衣類。
【請求項９】
前記衣類が異なる大きさの着用者に対応できるように、前記衣類が変形可能である、請求項１から８のいずれかに記載の衣類。
【請求項１０】
前記皮膚接触手段が、変形可能なゴムまたはプラスチック材料を含む、請求項１から９のいずれかに記載の衣類。
【請求項１１】
前記外部素材が、変形可能なゴムまたはプラスチック材料を含む、請求項３による場合の請求項４から１０のいずれかに記載の衣類。
【請求項１２】
前記変形可能な材料が、ラテックスゴムを含む、請求項１０または１１に記載の衣類。
【請求項１３】
前記加湿手段が、保湿クリームまたはローションを含む、請求項１から１２のいずれかに記載の衣類。
【請求項１４】
前記衣類が使い捨て可能である、請求項１から１３のいずれかに記載の衣類。
【請求項１５】
前記衣類が靴下である、請求項１から１４のいずれかに記載の衣類。
【請求項１６】
使用時に着用者の皮膚に接触するよう配設された内表面を有する皮膚接触手段を提供するための衣類を形成するステップと、前記皮膚接触手段上に皮膚に潤いを与えるための加湿手段を提供するステップとを含む、前記衣類の製造方法。
【請求項１７】
前記形成ステップが、ラテックス浸漬プロセスによって行われる、請求項１６に記載の方法。
【請求項１８】
前記提供ステップが、前記加湿手段を前記皮膚接触手段の内表面に塗布するステップを含む、請求項１６または１７に記載の方法。
【請求項１９】
前記提供ステップが、前記加湿手段を前記皮膚接触手段の内表面に含浸させるステップを含む、請求項１６または１７に記載の方法。
【請求項２０】
実質的に上記記載及び／または添付図面に示される衣類。
【請求項２１】
実質的に上記記載及び／または添付図面に示される衣類の製造方法。
【請求項２２】
上記請求項のいずれかと同じ発明の範囲内あるいはそれに関連するかどうかを問わず、ここに開示されるあらゆる新規な内容、または新規な内容を含む組み合わせ。
【発明の詳細な説明】
【技術分野】
【０００１】
本発明は衣類に関し、特に靴下に関するが、これに限定されない。
【背景技術】
【０００２】
皮膚の状態を維持するために皮膚に潤いを与えることがますます一般的になってきており、この目的のために従来では保湿クリームおよびローション等が用いられている。
【発明の開示】
【０００３】
しかしながら、こうした保湿剤はべたつく傾向があり、容易には皮膚に浸透しないことが多い。これは、保湿剤が完全に皮膚に浸透する前に皮膚が他の表面と接触することが多いため、不都合である。
【０００４】
本発明によれば、使用時に着用者の皮膚に接触するよう配設された内表面を有する皮膚接触手段と、前記皮膚接触手段上に皮膚に潤いを与えるための加湿手段とを備えた衣類が提供される。
【０００５】
前記衣類は、前記加湿手段の衣類の外部表面への浸透を防止するための手段を含むことが好ましい。一実施態様において、前記防止手段は、前記皮膚接触手段の外表面上に設けられた外部素材を備えることができる。前記外部素材は、前記加湿手段の透過を妨げる素材で形成されることが好ましい。代わりとして、またはそれに加えて、前記皮膚接触手段は、前記加湿手段の透過を妨げる素材で形成されてもよい。
【０００６】
前記加湿手段は、前記皮膚接触手段の内表面上に設けられることが好ましく、また皮膚接触手段の内表面に含侵されていてもよい。あるいは、前記加湿手段は前記皮膚接触手段の内表面上に層として設けられてもよい。
【０００７】
前記衣類が異なる大きさの着用者に対応できるように、前記衣類が変形可能であることが好ましい。前記皮膚接触手段は、変形可能なゴムまたはプラスチック材料であることが好ましい。前記外部素材は、変形可能なゴムまたはプラスチック材料であることが好ましい。前記変形可能な材料は、ラテックスゴムであってもよい。
【０００８】
前記加湿手段は、保湿クリームまたはローションを含んでいてもよい。
前記衣類は使い捨て可能であることが好ましく、また前記衣類は靴下であることが望ましい。
【０００９】
本発明の更なる態様によれば、使用時に着用者の皮膚に接触するよう配設された内表面を有する皮膚接触手段を提供するための衣類を形成するステップと、前記皮膚接触手段上に皮膚に潤いを与えるための加湿手段を提供するステップとを含む、前記衣類の製造方法が提供される。
【００１０】
前記形成ステップは、ラテックス浸漬プロセスによって行われることが好ましい。
前記提供ステップは、前記加湿手段を前記皮膚接触手段の内表面に塗布するステップを含むことが好ましい。あるいは、前記加湿手段を前記皮膚接触手段の内表面に含浸させるステップを含んでいてもよい。
【発明を実施するための最良の形態】
【００１１】
以下、本発明の実施態様を単なる一例として、添付図面を参照しながら説明する。
【００１２】
図１は、足首接触部１２、および足収容部１４を備える靴下１０状の衣類を示す。靴下１０は、使用時に着用者の足（図示せず）の皮膚に接触するよう配設された内表面１８を有する皮膚接触材料１６と、保湿クリームまたはローションの形であってもよい、皮膚に潤いを与えるための加湿材料２０とを備える。
【００１３】
図１に示す実施態様において、皮膚接触材料１６は、靴下１０を変形および伸長させて異なる足の大きさに対応できるように、ラテックスゴムを含む。このラテックスゴムは、好ましい外観を与えるために必要に応じて彩色することができる。ラテックスゴム材料を使用することによって、加湿手段２０が皮膚接触手段１６から外部表面２２に透過するのが防がれる。
【００１４】
図１の実施態様において、加湿手段２０は、皮膚接触材料１６の内表面１８上の層として設けられている。
【００１５】
図２は、靴下１０の別の実施態様を示すが、皮膚接触材料１６に加えて、外部素材２４が皮膚接触材料１６の外部表面２２上に設けられている。外部素材２４は、加湿手段２０の透過を妨げる素材で形成される。
【００１６】
また、図２に示す実施態様において、加湿手段２０は、皮膚接触材料１６の内表面１８中に含浸される。
【００１７】
衛生のために、靴下１０は使い捨て可能であり、また一度だけの使用を目的とする。
【００１８】
図３を参照すると、本発明の衣類は、着用者の皮膚に接触するように配設された内表面１８を有する皮膚接触材料１６を備えた靴下１０を提供するために、ラテックス浸漬プロセスによって形成される。ラテックス浸漬プロセスは、周知のプロセスであって、一般的に、例えば木、セラミックおよびガラス製の靴下１０状のフォーマ２６を備え、これを液体ラテックス３０を含む槽２８に浸漬するステップを伴う。その後フォーマ２６を槽２８から取り出し、その上に液体ラテックス３０の薄層を担持する。続けてフォーマ２６を炉に入れて、液体ラテックス３０を乾燥および加硫するために加熱する。乾燥および加硫後、得られたラテックス靴下１０をフォーマ２６から取り外し、保湿クリームまたはローション状の加湿手段２０を、例えばコーティングによって皮膚接触材料１６の内表面１８に塗布する。
【００１９】
必要に応じて、外部素材２４を皮膚接触材料１６の外表面２２に設けることもできる。
【００２０】
従って、本発明による衣類は、着用者の皮膚に加湿および潤いを与えることが可能になり、その一方で加湿手段２０が他の表面と接触することを防ぐことができる。有利には、ラテックス材料を使用することによって、着用者の足の温度が高くなり、結果的に皮膚の細孔を開かせる。これにより、加湿手段の迅速且つ容易な皮膚への吸収が可能になる。
【００２１】
種々の変更を本発明の範囲内において行うことができる。例えば、衣類は靴下１０以外の形状であってもよい。衣類は、ラテックス材料以外の材料から形成してもよい。加湿手段２０は、独立した層として、含浸または塗布以外の方法によって皮膚接触材料１６の内表面１８に施されても良い。
【００２２】
上記の使用において、特に重要であると考えられる本発明の特徴に注目させようと努めているが、出願人は、そこに特に重点が置かれているかどうかを問わず、あらゆる特許性を有する特徴、または上に図面で参照される及び／または示される特徴の組み合わせに関して保護を請求すると理解されなければならない。
【図面の簡単な説明】
【００２３】
【図１】本発明による衣類の第１の実施態様の概略側面図である。
【図２】前記衣類の第２の実施態様の概略側面図である。
【図３】ラテックス浸漬装置の概略側面図である。
【図１】
2006516690.tif 000003
【図２】
2006516690.tif 000004
【図３】
2006516690.tif 000005
【国際調査報告】
2006516690.tif 000006
2006516690.tif 000007
2006516690.tif 000008